(57)【要約】      （修正有）【課題】天秤蓋部に保護ユニットを容易に取り付け取り外しができる水分計を提供する。【解決手段】天秤本体部５０と、試料皿４０と、天秤蓋部９０と、天秤蓋部９０に取り付け取り外し可能となっており、加熱体６０を保護するための耐熱ガラス板と、少なくとも２個の開口が形成された枠体と有する保護ユニット８０とを備え、天秤蓋部９０は、側壁の下部の一部と本体筐体２０の上面の後部とを軸として回動可能に形成されている。天秤蓋部９０には、軸部９１ｂと軸部９１ｂより大きくなる頭部９１ａとを有する少なくとも２個の突起体９１が形成されており、保護ユニット８０の枠体の開口は、突起体９１の頭部９１ａより大きい穴と、突起体９１の頭部９１ａより小さい穴とが結合するように隣接したダルマ形状となっている。【選択図】図１
0003166613.tif 000002
【実用新案登録請求の範囲】
【請求項１】
箱形状の本体筐体を備え、当該本体筐体の内部に荷重を検出する荷重検出部が収容された天秤本体部と、
前記本体筐体の上面の上方で荷重検出部に取り付けられる試料皿と、
上板と当該上板の周縁部から下方に伸びた側壁とを有する蓋筐体を備え、前記上板の下面に加熱体が取り付けられる天秤蓋部と、
前記天秤蓋部に取り付け取り外し可能となっており、前記加熱体を保護するための耐熱ガラス板と、少なくとも２個の開口が形成された枠体を有する保護ユニットとを備え、
前記天秤蓋部は、前記側壁の下部の一部と前記本体筐体の上面の後部とを軸として回動可能に形成されている水分計であって、
前記天秤蓋部には、軸部と当該軸部より大きくなる頭部とを有する少なくとも２個の突起体が形成されており、
前記保護ユニットの枠体の開口は、前記突起体の頭部より大きい穴と、前記突起体の頭部より小さい穴とが結合するように隣接したダルマ形状となっていることを特徴とする水分計。
【請求項２】
前記突起体は、前記天秤蓋部から外れないように先端部にネジ止めを有するネジであり、
前記ネジを締め付けることにより、前記保護ユニットは前記天秤蓋部に固定されることを特徴とする請求項１に記載の水分計。
【請求項３】
前記保護ユニットの枠体は、上板と当該上板の周縁部から下方に伸びた側壁とを有し、
前記上板の中央部に耐熱ガラス板が配置されるとともに、前記上板の周縁部に開口が形成されており、
前記突起体は、前記天秤蓋部の上板の下面に形成されており、
前記天秤蓋部が開けられた際には、前記天秤蓋部の上板及び前記保護ユニットの上板は、前記本体筐体の上面と垂直となり、
前記天秤蓋部が閉じられた際には、前記保護ユニットの上板と耐熱ガラス板と側壁とで試料皿を覆うようになることを特徴とする請求項１又は請求項２に記載の水分計。
【請求項４】
前記保護ユニットの上板は、前記本体筐体の上面と垂直となるように配置されたときには、前記保護ユニットの枠体の開口は、上側に小さい穴が位置し、下側に大きい穴が位置するようになることを特徴とする請求項３に記載の水分計。
【考案の詳細な説明】
【技術分野】
【０００１】
本考案は、水分計に関する。
【背景技術】
【０００２】
電子水分計は、試料皿に載置された試料を加熱乾燥して試料の重量の減少から試料に含まれる水分率を測定するものである（例えば、特許文献１参照）。
図４は、従来の電子水分計の構成を示す斜視図である。なお、図４は、蓋を開けた状態の電子水分計であり、理解しやすくするために一部分の筐体を省略している。また、図５は、蓋を閉じた状態の電子水分計の断面図である。
このような電子水分計１０１は、荷重を検出する荷重検出センサ（荷重検出部）１０が収容されるケース（本体筐体）２０を有する天秤本体部５０と、荷重検出センサ１０に取り付けられる皿受け３０と、試料が載置される試料皿４０と、直管型のハロゲンヒータ（加熱体）６０とヒータフレーム１８９とケース（蓋筐体）７０とを有する天秤蓋部１９０と、保護ユニット１８０とを備える。
【０００３】
ケース２０は、四角形状の上板（上面）２１の中央部に円環形状の風防２２が形成されており、円環形状の風防２２の中心に位置する部分の上板２１には、上下方向に上板２１を貫通する円形状の軸穴２３が形成されている。
また、上板２１の前部には表示部２４が形成されており、表示部２４に「水分率」が表示されるようになっている。
【０００４】
荷重検出センサ１０は、直方体形状のアルミニウム合金製のブロック体であり、ロバーバル機構と、第一レバーと、第二レバーと、ロバーバル機構と第一レバーと第二レバーとを連結する連結部材とが、前後方向に貫通する孔やスリット等を設けることによって形成されている。
ロバーバル機構は、ケース２０に取付部材１２を介して固定される固定柱と、金属製の円柱形状の連結軸１１が結合される可動柱と、両端部に可撓部（ヒンジ部）を有する２本の梁とから構成される。そして、可動柱と固定柱とを、互いに平行な２本の梁によって連結した構造となっている。
【０００５】
第二レバーの他端部には、持出部材１３の基端部がネジ等によって固定される。これにより、試料の荷重は、可動柱と連結部材と第一レバーと連結部材と第二レバーとを介して、持出部材１３の先端部を傾動させるようになっている。このような持出部材１３の先端部の変位は、ケース２０に固定された変位センサ１５によって検出される。また、持出部材１３の先端部には、電磁力発生装置１４のフォースコイルが固着されている。これにより、電磁力発生装置１４のフォースコイルに流される電流の大きさは、変位センサ１５からの検出信号に基づいて、持出部材１３の先端部の変位が０となるようにサーボ機構（図示せず）によって制御される。
なお、連結軸１１の下端部が、荷重検出センサ１０の可動柱の上面に結合されているとともに、連結軸１１の上端部に皿受け３０が測定者によって取り付け取り外し可能となっている。
そして、荷重検出センサ１０は、ケース２０の内部空間に配置されるとともに、連結軸１１は、ケース２０の内側から軸穴２３を通って風防２２の中央に配置されている。
【０００６】
図７は、試料皿４０の平面図である。試料皿４０は、使い捨てになっており、金属製となっている。このような試料皿４０は、円形状の底板４１と、円環形状の側壁４２とを有し、その底板４１の上面には測定者によって試料が載置されるようになっている。
図８は、皿受け３０の平面図である。皿受け３０は、ステンレス製となっている。このような皿受け３０は、円柱部３１と、円柱部３１の中心軸の一点を中心として水平方向に伸びる３本の枝部３２とを有する。３本の枝部３２は、円柱部３１の中心軸の一点を中心として、それぞれ異なる水平方向に所定の距離で伸びており、例えば平面視で１時と５時と９時との方向に伸びている。また、枝部３２の端部は上方に伸びて、枝部３２の上面に試料皿４０が載置されるとともに、枝部３２の端部が試料皿４０の側壁４２と当接することで、皿受け３０と試料皿４０とが結合されるようになっている。また、円柱部３１の下面には挿入孔３３が形成されており、挿入孔３３に連結軸１１の上端部が挿入されることで、皿受け３０と荷重検出センサ１０とが結合されるようになっている。
【０００７】
ケース７０は、四角形の上板７１と上板７１の周縁部から下方に伸びた四角筒状の側壁７２とを有し、上板７１の下面には下方に伸びた四角筒状のヒータフレーム１８９が形成され、ヒータフレーム１８９にハロゲンヒータ６０が取り付けられている。
そして、側壁７２の一辺の下部とケース２０の上板２１の後側とを軸として、ケース７０が回動可能に取り付けられている。このとき、ケース７０が閉じられた際には、ケース７０が風防２２を覆うようになり、一方、ケース７０が開けられた際には、ケース７０の上板７１は、ケース２０の上板２１と垂直となるようになっている。
【０００８】
ところで、電子水分計１０１では、測定中に試料から揮発分が発生するので、ハロゲンヒータ６０を揮発分から保護しなければならない。そのため、試料とハロゲンヒータ６０との間に耐熱ガラス板８３を配置する必要がある。また、ハロゲンヒータ６０の寿命は、５０００時間であり、早ければ１年程で新品のハロゲンヒータと交換する必要も生じる。
よって、耐熱ガラス板８３がユニット化された保護ユニット１８０が、天秤蓋部１９０に取り付け取り外し可能となっている電子水分計１０１が使用されている。
【０００９】
図６は、従来の保護ユニットの斜視図である。
保護ユニット１８０は、２個の開口１８１が形成された上板８２ａと上板８２ａの周縁部から下方に伸びた側壁８２ｂとを有する枠体８２と、上板８２ａの中央部に配置された四角形の耐熱ガラス板８３とを有する。開口１８１は円形状となっている。そして、保護ユニット１８０を天秤蓋部１９０に取り付ける際には、２個のネジ１８４（図４参照）が使用される。このようなネジ１８４は、開口１８１より大きい頭部１８４ａと開口１８１より小さい軸部１８４ｂとを有するものが選択される。
【００１０】
このような保護ユニット１８０を用いた電子水分計１０１によれば、測定者は、ハロゲンヒータ６０を交換する際には、ケース７０を開けた状態として、保護ユニット１８０の枠板８２を左手で押さえながら２個のネジ１８４を右手でドライバを用いて緩めて取り外した後に、保護ユニット１８０を天秤蓋部１９０から取り外し、ハロゲンヒータ６０を交換していた。そして、それらの作業を完了後に、保護ユニット１８０を所定の位置に配置して枠板８２を左手で押さえながら、開口１８１に通した２個のネジ１８４を右手でドライバを用いて締め付けることにより、保護ユニット１８０を天秤蓋部１９０に固定していた。
【先行技術文献】
【特許文献】
【００１１】
【特許文献１】特開２００３−３０２３２４号公報
【考案の概要】
【考案が解決しようとする課題】
【００１２】
しかしながら、このような保護ユニット１８０を用いた電子水分計１０１では、保護ユニット１８０を取り外す際、ネジ１８４を取り外した瞬間に、保護ユニット１８０を誤って落下させてしまうことがあった。このとき、保護ユニット１８０に配置されている耐熱ガラス板８３が割れ、破損してしまうことがあった。
また、保護ユニット１８０を取り付ける際には、保護ユニット１８０の枠板８２を左手で押さえながら、ネジ１８４を右手でドライバを用いて締め付けるときに、耐熱ガラス板８３を指で触ってしまうことがあった。耐熱ガラス板８３に指紋がつくと、測定中に加熱ムラが生じるという問題が発生する原因となる。
そこで、本考案は、天秤蓋部に保護ユニットを容易に取り付け取り外しができる水分計を提供することを目的とする。
【課題を解決するための手段】
【００１３】
上記課題を解決するためになされた本考案の水分計は、箱形状の本体筐体を備え、当該本体筐体の内部に荷重を検出する荷重検出部が収容された天秤本体部と、前記本体筐体の上面の上方で荷重検出部に取り付けられる試料皿と、上板と当該上板の周縁部から下方に伸びた側壁とを有する蓋筐体を備え、前記上板の下面に加熱体が取り付けられる天秤蓋部と、前記天秤蓋部に取り付け取り外し可能となっており、前記加熱体を保護するための耐熱ガラス板と、少なくとも２個の開口が形成された枠体を有する保護ユニットとを備え、前記天秤蓋部は、前記側壁の下部の一部と前記本体筐体の上面の後部とを軸として回動可能に形成されている水分計であって、前記天秤蓋部には、軸部と当該軸部より大きくなる頭部とを有する少なくとも２個の突起体が形成されており、前記保護ユニットの枠体の開口は、前記突起体の頭部より大きい穴と、前記突起体の頭部より小さい穴とが結合するように隣接したダルマ形状となるようにしている。
【００１４】
本考案の水分計によれば、保護ユニットを取り外す際には、突起体が小さい穴から大きい穴に移動するように保護ユニットを移動させてから、保護ユニットを取り外すことになる。よって、ネジを取り外した瞬間等に、保護ユニットを誤って落下させてしまうことがない。
また、保護ユニットを取り付ける際には、突起体を大きい穴から挿入して、突起体が大きい穴から小さい穴に移動するように保護ユニットを移動させることで、保護ユニットを突起体によって保持することになる。よって、耐熱ガラス板を手で押さえる必要がなくなるので、耐熱ガラス板に指紋がつくことを防ぐことができる。
【考案の効果】
【００１５】
以上のように、本考案の水分計によれば、天秤蓋部に保護ユニットを容易に取り付け取り外しができる。
【００１６】
（他の課題を解決するための手段および効果）
また、上記考案の水分計において、前記突起体は、前記天秤蓋部から外れないように先端部にネジ止めを有するネジであり、前記ネジを締め付けることにより、前記保護ユニットは前記天秤蓋部に固定されるようにしてもよい。
そして、上記考案の水分計において、前記保護ユニットの枠体は、上板と当該上板の周縁部から下方に伸びた側壁とを有し、前記上板の中央部に耐熱ガラス板が配置されるとともに、前記上板の周縁部に開口が形成されており、前記突起体は、前記天秤蓋部の上板の下面に形成されており、前記天秤蓋部が開けられた際には、前記天秤蓋部の上板及び前記保護ユニットの上板は、前記本体筐体の上面と垂直となり、前記天秤蓋部が閉じられた際には、前記保護ユニットの上板と耐熱ガラス板と側壁とで試料皿を覆うようになるようにしてもよい。
【００１７】
さらに、上記考案の水分計において、前記保護ユニットの上板は、前記本体筐体の上面と垂直となるように配置されたときには、前記保護ユニットの枠体の開口は、上側に小さい穴が位置し、下側に大きい穴が位置するようにしてもよい。
本考案の水分計によれば、保護ユニット自体の重さによって突起体で保持されるので、保護ユニットを誤って落下させてしまうことがない。
【図面の簡単な説明】
【００１８】
【図１】本考案に係る電子水分計の構成を示す斜視図。
【図２】電子水分計の断面図。
【図３】保護ユニットの斜視図。
【図４】従来の電子水分計の構成を示す斜視図。
【図５】電子水分計の断面図。
【図６】従来の保護ユニットの斜視図。
【図７】試料皿の平面図。
【図８】皿受けの平面図。
【考案を実施するための形態】
【００１９】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００２０】
図１は、本考案に係る電子水分計の構成を示す斜視図である。なお、図１は、蓋を開けた状態の電子水分計であり、理解しやすくするために一部分の筐体を省略している。また、図２は、蓋を閉じた状態の電子水分計の断面図である。
電子水分計１は、荷重を検出する荷重検出センサ（荷重検出部）１０が収容されるケース（本体筐体）２０を有する天秤本体部５０と、荷重検出センサ１０に取り付けられる皿受け３０と、試料が載置される試料皿４０と、直管型のハロゲンヒータ（加熱体）６０とヒータフレーム８９とケース（蓋筐体）７０とを有する天秤蓋部９０と、保護ユニット８０とを備える。
【００２１】
ケース７０は、四角形の上板７１と上板７１の周縁部から下方に伸びた四角筒状の側壁７２とを有し、上板７１の下面には下方に伸びた四角筒状のヒータフレーム８９が形成され、ヒータフレーム８９にハロゲンヒータ６０が取り付けられている。
そして、側壁７２の一辺の下部とケース２０の上板２１の後側とを軸として、ケース７０が回動可能に取り付けられている。このとき、ケース７０が閉じられた際には、ケース７０が風防２２を覆うようになり、一方、ケース７０が開けられた際には、ケース７０の上板７１は、ケース２０の上板２１と垂直となるようになっている。
【００２２】
ヒータフレーム８９の下面には、頭部９１ａと軸部９１ｂとネジ止め９１ｃとを有する２個のネジ（突起体）９１が下面と垂直となるように配置されている。ケース７０の上板７１は、ケース２０の上板２１と垂直となるように配置されたときには、１個のネジ９１は右上に位置し、他の１個のネジ９１は左下に位置するようになっている。ネジ止め９１ｃは、ネジ９１の先端部に形成されており、ダブルナットや接着剤を塗布したナット等であり、ネジ９１が緩められてもヒータフレーム８９の下面から外れないようになっている。
【００２３】
図３は、保護ユニットの斜視図である。
保護ユニット８０は、２個の開口８１が形成された上板８２ａと上板８２ａの周縁部から下方に伸びた側壁８２ｂとを有する枠体８２と、上板８２ａの中央部に配置された四角形の耐熱ガラス板８３とを有する。開口８１は、ネジ９１の頭部９１ａより大きい穴８１ａとネジ９１の頭部９１ａより小さい穴８１ｂとが結合するように隣接したダルマ形状となっている。保護ユニット８０の上板８２ａは、ケース２０の上板２１と垂直となるように配置されたときには、１個の開口８１は右上に位置し、他の１個の開口８１は左下に位置するようになっている。このとき、開口８１は、上側に小さい穴８１ｂが位置し、下側に大きい穴８１ａが位置することになっている。
【００２４】
このような保護ユニット８０を用いた電子水分計１によれば、測定者は、ハロゲンヒータ６０を交換する際には、ケース７０を開けた状態として、２個のネジ９１を右手でドライバ等を用いて緩める。このとき、保護ユニット８０はネジ９１によって保持されるので、落下することがない。そして、ネジ９１が小さい穴８１ｂから大きい穴８１ａに移動するように保護ユニット８０を上方に移動させてから、保護ユニット８０を手前に引くことで取り外す。そして、ハロゲンヒータ６０を交換する。その後、ネジ９１を大きい穴８１ａから挿入して、ネジ９１が大きい穴８１ａから小さい穴８１ｂに移動するように保護ユニット８０を下方に移動させる。このとき、保護ユニット８０はネジ９１によって保持される。そして、２個のネジ９１を右手でドライバ等を用いて締め付けることにより、保護ユニット８０を天秤蓋部９０に固定する。
【００２５】
以上のように、本考案の電子水分計１によれば、天秤蓋部９０に保護ユニット８０を容易に取り付け取り外しができる。
【００２６】
＜他の実施形態＞
上述した電子水分計１において、天秤蓋部９０の上板７１の下面に２個のネジ９１が配置されたような構成を示したが、ネジでない突起体が形成され、小さい穴に摩擦力等で引っかかるような構成としてもよい。
【産業上の利用可能性】
【００２７】
本考案は、電子水分計等に好適に利用できる。
【符号の説明】
【００２８】
１  電子水分計
２０  本体筐体
２１  上板（上面）
１０  荷重検出部
３０  皿受け
４０  試料皿
５０  天秤本体部
６０  ハロゲンヒータ（加熱体）
７０  蓋筐体
７１  上板
７２  側壁
８０  保護ユニット
８１  開口
８１ａ  大きい穴
８１ｂ  小さい穴
８２  枠体
８３  耐熱ガラス板
８９  ヒータフレーム
９０  天秤蓋部
９１  ネジ（突起体）
９１ａ  頭部
９１ｂ  軸部
９１ｃ  ネジ止め
【図１】
0003166613.tif 000003
【図２】
0003166613.tif 000004
【図３】
0003166613.tif 000005
【図４】
0003166613.tif 000006
【図５】
0003166613.tif 000007
【図６】
0003166613.tif 000008
【図７】
0003166613.tif 000009
【図８】
0003166613.tif 000010